(57)【要約】【課題】操作者や作業者が原稿圧着板の着脱作業を行う際に、各原稿圧着板開閉装置をそれぞれ片方の手で持って行っても、手指を挟んでしまう心配のない、構造簡単な原稿圧着板開閉装置を提供する。【解決手段】取付脚部と、この取付脚部の上部に設けられたカム部と、スプリング収容部を有し前記カム部にヒンジピンを介してその両連結板を回動自在に取り付けた支持部材と、前記スプリング収容部内部にスライド可能に設けられたカムスライダーと、このカムスライダーを前記カム部側へ押圧するために前記スプリング収容部内部に弾設された弾性手段とから成り、前記取付部材と支持部材の各後部に前記原稿圧着板の全開成時に互いに当接して前記支持部材の回動を規制する当接部を削除すると共に、前記カム部にガイド溝を設け、前記両連結板に前記ガイド溝に係合するガイドピンを設けたことで解決した。【選択図】図８
2014152904.tif 000002
【特許請求の範囲】
【請求項１】
事務機器の原稿圧着板を装置本体に対して開閉可能に連結するものであって、装置本体に設けた取付孔へ挿脱自在に取り付けられる取付脚部とこの取付脚部の上部に設けられたカム部とを有する取付部材と、スプリング収容部を有し前記カム部にヒンジピンを介してその両連結板を回動自在に取り付けた前記原稿圧着板の支持部材と、前記スプリング収容部内部に前記カム部に接してスライド可能に設けられたカムスライダーと、このカムスライダーを前記カム部側へ押圧するために前記スプリング収容部内部に弾設された弾性手段とから成り、前記取付部材と支持部材の各後部に前記原稿圧着板の全開成時に互いに当接して前記支持部材の回動を規制する当接部を削除すると共に、前記カム部と前記支持部材の両連結板のいずれか一方にガイド溝を設け、前記カム部と前記支持部材の両連結板のいずれか他方に前記ガイド溝に係合するガイドピンを設け、もって前記原稿圧着板の開成角度を規制するように成したことを特徴とする、原稿圧着板開閉装置。
【請求項２】
前記ガイド溝は、前記ヒンジピンと平行に前記カム部を貫通して設けられており、前記支持部材の両連結板に取り付けたガイドピンは前記ガイド溝と貫通係合していることを特徴とする、請求項１に記載の原稿圧着板開閉装置。
【請求項３】
前記ガイド溝は、前記ヒンジピンと平行に前記カム部を貫通して設けられており、前記ガイド溝へ嵌入係合させる前記ガイドピンは、前記支持部材の前記両連結板のそれぞれから突設して設けた一対のもので構成されていることを特徴とする、請求項１に記載の原稿圧着板開閉装置。
【請求項４】
前記ガイド溝は、前記カム部の両側から貫通することなく一対設けられており、前記ガイドピンは、前記支持部材の前記両連結板のそれぞれから突設して設けた一対のもので構成され前記一対のガイド溝にそれぞれ嵌入係合していることを特徴とする、請求項１に記載の原稿圧着板開閉装置。
【請求項５】
前記ガイド溝は、前記カム部に前記ヒンジピンと平行に位置を変えて複数設けられており、前記ガイドピンは前記支持部材の前記両連結板のそれぞれから位置を変えて前記ヒンジピンと平行に複数設けられ、前記各ガイド溝へ嵌入係合されていることを特徴とする、請求項１に記載の原稿圧着板開閉装置。
【請求項６】
前記ガイド溝は、前記支持部材の両連結板に設けられ、前記ガイドピンが前記カム部に設けられていることを特徴とする、請求項１〜５のいずれか１項に記載の原稿圧着板開閉装置。
【請求項７】
事務機器の原稿圧着板を装置本体に対して開閉可能に連結するものであって、装置本体に設けた取付孔へ挿脱自在に取り付けられるところのスプリング収容部を有する筒状の取付脚部とこの取付脚部の上部に設けられた両連結板とを有する取付部材と、前記スプリング収容部内部に摺動可能に設けられたカムスライダーと、このカムスライダーを一方向へスライド付勢させるために前記スプリング収容部内部に設けられた弾性手段と、前記取付脚部の上部に設けられた前記両連結板間にヒンジピンを介して回動可能に取り付けられたところの前記原稿圧着板を支持する支持部材と、この支持部材に設けられたところの前記カムスライダーに圧接するカム部から成り、前記取付部材と支持部材の各後部に前記原稿圧着板の全開成時に互いに当接して前記支持部材の回動を規制する当接部を削除すると共に、前記取付部材の両連結板と前記カム部とのいずれか一方にガイド溝を設け、前記取付部材の両連結板と前記カム部とのいずれか他方に前記ガイド溝に係合するガイドピンを設け、もって前記原稿圧着板の開成角度を規制するように成したことを特徴とする、原稿圧着板開閉装置。
【請求項８】
前記ガイド溝は、前記ヒンジピンと平行に前記カム部を貫通して設けられており、前記取付部材の両連結板に取り付けたガイドピンは前記ガイド溝と貫通係合していることを特徴とする、請求項７に記載の原稿圧着板開閉装置。
【請求項９】
前記ガイド溝は、前記ヒンジピンと平行に前記カム部を貫通して設けられており、前記ガイド溝に嵌入係合させる前記ガイドピンは、前記取付部材の前記両連結板のそれぞれから突設して設けた一対のもので構成されていることを特徴とする、請求項７に記載の原稿圧着板開閉装置。
【請求項１０】
前記ガイド溝は、前記カム部の両側から貫通することなく一対設けられており、前記ガイドピンは、前記取付部材の前記両連結板のそれぞれから突設して設けた一対のもので構成され前記一対のガイド溝にそれぞれ嵌入係合していることを特徴とする、請求項７に記載の原稿圧着板開閉装置。
【請求項１１】
前記ガイド溝は、前記カム部に前記ヒンジピンと平行に位置を変えて複数設けられており、前記ガイドピンは前記取付部材の前記両連結板のそれぞれから位置を変えて前記ヒンジピンと平行に複数設けられ、前記各ガイド溝へ嵌入係合されていることを特徴とする、請求項７に記載の原稿圧着板開閉装置。
【請求項１２】
前記ガイド溝は、前記取付部材の両連結板に設けられ、前記ガイドピンが前記カム部に設けられていることを特徴とする、請求項７〜１１のいずれか１項に記載の原稿圧着板開閉装置。
【請求項１３】
前記請求項１〜１２に各記載の原稿圧着板開閉装置を備えたことを特徴とする事務機器。
【発明の詳細な説明】
【技術分野】
【０００１】
本発明は、複写機、複合機（複写機にファクシミリやプリンター機能を搭載させたもの）、印刷機、ファクシミリ、スキャナー等の原稿圧着板を有する事務機器に用いて好適な、原稿圧着板開閉装置並びにこの原稿圧着板開閉装置を備えた事務機器に関するものである。
【背景技術】
【０００２】
この種の原稿圧着板開閉装置として、下記特許文献１に記載されているようなものが公知である。この特許文献１に記載の原稿圧着板開閉装置は、事務機器の装置本体に設けた取付孔へ挿脱自在に取り付けられる脚部と、この脚部の上部に設けられた固定カム部と、この固定カム部にヒンジピンを介してその両連結板を回動自在に取り付けた前記原稿圧着板の支持部材と、この支持部材内部に前記固定カム部に接してスライド可能に設けられたスライダーと、このスライダーを前記固定カム部側へ押圧するために前記支持部材内部に弾設された弾性手段とから構成されている。
【０００３】
また、この種の原稿圧着板開閉装置として、下記特許文献２に記載されているようなものも公知である。この特許文献２に記載の原稿圧着板開閉装置は、装置本体に設けた取付孔へ挿脱自在の取り付けられる筒状の取付脚部と、この取付脚部の内部に摺動可能に設けられたカムスライダーと、このカムスライダーを一方向へスライド付勢させるために前記取付脚部内部に弾設された弾性手段と、前記取付脚部の上部に設けられた両連結板間にヒンジピンを介して回動可能に取り付けられたところの前記原稿圧着板を支持する支持部材と、この支持部材に設けられたところの前記カムスライダーに圧接するカム部から構成されている。
【先行技術文献】
【特許文献】
【０００４】
【特許文献１】特開２０１１−４３５９３号公報
【特許文献２】特開２０１１−１５８０５３号公報
【発明の概要】
【発明が解決しようとする課題】
【０００５】
一般的に原稿圧着板開閉装置は、装置本体に対して開いた原稿圧着板の開成角度を所定の角度に規制するために、支持部材の後部側と取付部材の後部側との間に当接部（ストッパー手段）が設けられているのが通常である。この当接部は、通常、原稿圧着板を開いた際に装置本体に対し略９０度の開成角度近辺で、停止保持できるように構成されている。このストッパー部は、特許文献１のものは、とくにその図１３に示したように、脚部１の上部に設けた固定カム部１ｃの上面、支持部材４の上板４ｂの後部が当接するように構成してストッパー部が形成されている。また、特許文献２のものにあっては、同じく図１３に示したように、回動部材１２０に設けた突起がケース部材１１０に設けた後部カバー板１１９Ｌと１１９Ｒに当接するようにしてストッパー部が形成されている。
【０００６】
さらに、取付脚部を有する原稿圧着板開閉装置は、当該取付脚部が取付孔に対し上下方向へスライドできることから、原稿が本のような厚物原稿の場合には、取付脚部を取付孔に対して上方へスライドさせ、原稿圧着板開閉装置を装置本体に対してリフトアップさせることにより、厚物原稿の上面をコンタクトガラスに対して水平に覆うことができ、外光がコンタクトガラスを介して装置本体内へ侵入しないようになっている。また、厚物原稿が辞書のように厚みがある場合には、操作者が原稿圧着板そのものを原稿圧着板開閉装置ごと装置本体から取り外して厚物原稿の上面を水平に押さえることが行われている。さらに、原稿圧着板の装置本体への装着時や、装着後の装置本体内部の修理点検の際には、作業者が取付部材と支持部材の連結部分を持って、取付脚部の取付孔に対する着脱作業を行っている。
【０００７】
したがって、左右一対の原稿圧着板開閉装置それら自体をそれぞれ片方の手で持って、或は原稿圧着板を両手で持って、上方へ引っ張ると、取付脚部が装置本体に設けた取付孔から容易に取り外され、原稿圧着板を装置本体から取り外すことができ、さらに取付孔に取付部材の取付脚部をあてがい下押しすることで装置本体に対して原稿圧着板を容易に装着することができることから、操作者が原稿圧着板を取り付けた原稿圧着板開閉装置を装置本体へ着脱し易く、また、作業者が原稿圧着板や装置本体の修理、保守、点検時に原稿圧着板開閉装置の部分を両手で持って装置本体に対する着脱作業を行うことが多く見られる。
【０００８】
しかるに、作業者や操作者が左右一対の原稿圧着板開閉装置を両手で持って装置本体に対する着脱作業を行う際に、原稿圧着板に作用している弾性手段の弾力が弱くなっているので、原稿圧着板が前後にぐらぐらと揺れてしまい、この揺れに伴って支持部材が前後方向に回動してしまうことから、当該支持部材と取付部材との間に設けた当接部（ストッパー手段）によって手指を挟んでしまうという問題が生じている。
【０００９】
本発明は上記問題点を解決しようとするもので、その目的は、取付部材に取付脚部を設けた原稿圧着板開閉装置において、操作者や作業者が一対の原稿圧着板開閉装置を両手で持って装置本体に対して原稿圧着板の着脱作業を行う場合に、各原稿圧着板開閉装置をそれぞれ片方の手で持って行っても、手指を挟んでしまう心配のない、構造簡単な原稿圧着板開閉装置を提供せんとするにある。
【課題を解決するための手段】
【００１０】
上述した目的を達成するために請求項１に係る本発明は、事務機器の原稿圧着板を装置本体に対して開閉可能に連結するものであって、装置本体に設けた取付孔へ挿脱自在に取り付けられる取付脚部とこの取付脚部の上部に設けられたカム部とを有する取付部材と、スプリング収容部を有し前記カム部にヒンジピンを介してその両連結板を回動自在に取り付けた前記原稿圧着板の支持部材と、前記スプリング収容部内部に前記カム部に接してスライド可能に設けられたカムスライダーと、このカムスライダーを前記カム部側へ押圧するために前記スプリング収容部内部に弾設された弾性手段とから成り、前記取付部材と支持部材の各後部に前記原稿圧着板の全開成時に互いに当接して前記支持部材の回動を規制する当接部を削除すると共に、前記カム部と前記支持部材の両連結板のいずれか一方にガイド溝を設け、前記カム部と前記支持部材の両連結板のいずれか他方に前記ガイド溝に係合するガイドピンを設け、もって前記原稿圧着板の開成角度を規制するように成したことを特徴とする。
【００１１】
その際に請求項２に係る発明は、請求項１に記載の発明の実施例であり、前記ガイド溝が、前記ヒンジピンと平行に前記カム部を貫通して設けられており、前記支持部材の両連結板に取り付けたガイドピンは、前記ガイド溝と貫通係合していることを特徴とする。
【００１２】
請求項３に係る発明はさらに、請求項１に記載の発明の実施例であり、前記ガイド溝が、前記ヒンジピンと平行に前記カム部を貫通して設けられており、前記ガイド溝へ嵌入係合させる前記ガイドピンは、前記支持部材の前記両連結板のそれぞれから突設して設けた一対のもので構成されていることを特徴とする。
【００１３】
請求項４に係る発明はさらに、請求項１に記載の発明の実施例であり、前記ガイド溝が、前記カム部の両側から貫通することなく一対設けられており、前記ガイドピンは、前記支持部材の前記両連結板のそれぞれから突設して設けた一対のもので構成され前記一対のガイド溝にそれぞれ嵌入係合していることを特徴とする。
【００１４】
さらに、請求項５に係る発明は、請求項１に記載の発明の実施例であり、前記ガイド溝は、前記カム部に前記ヒンジピンと平行に位置を変えて複数設けられており、前記ガイドピンは前記支持部材の前記両連結板のそれぞれから位置を変えて前記ヒンジピンと平行に複数設けられ、前記各ガイド溝へ嵌入係合されていることを特徴とする。
【００１５】
さらに、請求項６に係る発明は、請求項１乃至５に各記載の原稿圧着板開閉装置において、前記ガイド溝を、前記支持部材の両連結板に設け、前記ガイドピンを前記カム部に設けることを特徴とする。
【００１６】
次に、請求項７に係る本発明は、事務機器の原稿圧着板を装置本体に対して開閉可能に連結するものであって、装置本体に設けた取付孔へ挿脱自在に取り付けられるところのスプリング収容部を有する筒状の取付脚部とこの取付脚部の上部に設けられた両連結板とを有する取付部材と、前記スプリング収容部内部に摺動可能に設けられたカムスライダーと、このカムスライダーを一方向へスライド付勢させるために前記スプリング収容部内部に設けられた弾性手段と、前記取付脚部の上部に設けられた前記両連結板間にヒンジピンを介して回動可能に取り付けられたところの前記原稿圧着板を支持する支持部材と、この支持部材に設けられたところの前記カムスライダーに圧接するカム部から成り、前記取付部材と支持部材の各後部に前記原稿圧着板の全開成時に互いに当接して前記支持部材の回動を規制する当接部を削除すると共に、前記取付部材の両連結板と前記カム部とのいずれか一方にガイド溝を設け、前記取付部材の両連結板と前記カム部とのいずれか他方に前記ガイド溝に係合するガイドピンを設け、もって前記原稿圧着板の開成角度を規制するように成したことを特徴とする。
【００１７】
請求項８に係る発明は、請求項７に記載の発明の実施例であり、前記ガイド溝が、前記ヒンジピンと平行に前記カム部を貫通して設けられており、前記取付部材の両連結板に取り付けたガイドピンは、前記ガイド溝と貫通係合していることを特徴とする。
【００１８】
請求項９に係る発明は、請求項７に記載の発明の実施例であり、前記ガイド溝が、前記ヒンジピンと平行に前記カム部を貫通して設けられており、前記ガイド溝に嵌入係合させる前記ガイドピンは、前記取付部材の前記両連結板のそれぞれから突設して設けた一対のもので構成されていることを特徴とする。
【００１９】
さらに、請求項１０に係る発明は、請求項７に記載の発明の実施例であり、前記ガイド溝が、前記カム部の両側から貫通することなく一対設けられており、前記ガイドピンは、前記取付部材の前記両連結板のそれぞれから突設して設けた一対のもので構成され前記一対のガイド溝にそれぞれ嵌入係合していることを特徴とする。
【００２０】
さらに、請求項１１本発明は、請求項７に記載の発明の実施例であり、前記ガイド溝は、前記カム部に前記ヒンジピンと平行に位置を変えて複数設けられており、前記ガイドピンは前記取付部材の前記両連結板のそれぞれから位置を変えて前記ヒンジピンと平行に複数設けられ、前記各ガイド溝へ嵌入係合されていることを特徴とする。
【００２１】
さらに、請求項１２に係る発明は、請求項７乃至１１に各記載の発明の実施例であり、前記ガイド溝は、前記取付部材の両連結板に設けられ、前記ガイドピンが前記カム部に設けられていることを特徴とする。
【００２２】
そして、請求項１３に記載の発明は、上記請求項１乃至１２に記載の各原稿圧着板開閉装置を備えたことを特徴とする事務機器である。
【発明の効果】
【００２３】
本発明は、以上のように構成したので、簡単な構成で原稿圧着板の操作者や装置本体内部の保守点検の際の作業者が、装置本体の前側にいて原稿圧着板を開いた状態において当該装置本体に対して着脱作業を行う際に、上下方向へ揺動する原稿圧着板によって支持部材と取付部材との間で手指を挟んでしまうことを防止できることから、安全性の向上を図ることができるという効果を奏し得る。
【図面の簡単な説明】
【００２４】
【図１】本発明に係る原稿圧着板開閉装置の単体での通常時の状態の斜視図である。
【図２】図１に示した原稿圧着板開閉装置から支持部材を原稿圧着板の閉成時の状態まで回動させて見た斜視図である。
【図３】図２に示した原稿圧着板開閉装置を他の方向から見た斜視図である。
【図４】図１に示した原稿圧着板開閉装置を事務機器の装置本体へ取り付け原稿圧着板を閉じた状態の側面図である。
【図５】図１に示した原稿圧着板開閉装置を事務機器の装置本体へ取り付け原稿圧着板を最大開成角度まで開いた状態の側面図である。
【図６】図４に示した状態の縦断面図である。
【図７】図６に示した状態から原稿圧着板を中間開成角度まで開いた状態の縦断面図である。
【図８】図５に示した状態の縦断面図である。
【図９】原稿が厚物原稿の場合の使用状態である。
【図１０】本発明に係る原稿圧着板開閉装置の取付部材の斜視図である。
【図１１】本発明に係る原稿圧着板開閉装置の支持部材の斜視図である。
【図１２】本発明に係る原稿圧着板開閉装置の他の実施例を説明するために図６のＡ−Ａ線方向から見た縦断面図である。
【図１３】本発明に係る原稿圧着板開閉装置のさらに他の実施例を説明するために図６のＡ−Ａ線方向から見た縦断面図である。
【図１４】本発明に係る原稿圧着板開閉装置のさらに他の実施例を説明するための縦断面図である。
【図１５】図１４に示した原稿圧着板開閉装置をＢ−Ｂ線の方向から見た縦断面図である。
【図１６】本発明に係る原稿圧着板開閉装置のさらに他の実施例を説明するための側面図である。
【図１７】図１６に示した原稿圧着板開閉装置の縦断面図である。
【図１８】本発明に係る原稿圧着板開閉装置の他の実施例を説明するための縦断面図である。
【図１９】図１８に示した原稿圧着板開閉装置の使用状態を説明する縦断面図である。
【発明を実施するための形態】
【００２５】
以下、本発明に係る原稿圧着板開閉装置並びにこの原稿圧着板開閉装置を備えた事務機器を添付図面に基づいて詳述する。本発明において、事務機器には、複写機、複合機（複写機にファクシミリやプリンター機能を搭載させたもの）、印刷機、ファクシミリ、スキャナー等が含まれるが、これらのものに限定されない。また、原稿圧着板開閉装置も下記する実施例のものに限定されることなく、本発明の目的を逸脱しない範囲でさまざまなその他の実施例のものが含まれるものである。
【００２６】
尚、本発明に係る原稿圧着板開閉装置は、主として比較的に軽い原稿圧着板を事務機器の装置本体へ開閉可能に取り付けるために用いられるものである。図面では取付部材と支持部材の外側に多数の凹部が設けられているが、これは取付部材や支持部材の材料を節約し、かつ軽くするために設けたものであるので、断面図では図示を省略する場合がある。
【００２７】
また、この種の取付脚部を有する原稿圧着板開閉装置は、当該原稿圧着板開閉装置の取付脚部を装置本体から取り外すと、原稿圧着板の荷重がかからない状態となるために弾性手段の弾力が勝り、図１に示したように、取付部材は支持部材に対して回動し、原稿圧着板が全開状態の時と同じ状態となる。この状態で原稿圧着板を装置本体へ取り付ける際には、取付部材のカム部に当たる部分を手で持つ場合があり、原稿圧着板が取付部材に対して前後方向へぐらぐらと揺れるために、支持部材と取付部材の間に上述した従来公知の当接部があると、同じく上述したように手を挟み易いという問題がある。
【００２８】
尚、図２と図３は支持部材に原稿圧着板を取り付け閉成状態まで閉じた状態の原稿圧着板開閉装置を示してある。
【実施例１】
【００２９】
図１〜図１１は本発明に係る原稿圧着板開閉装置並びにこの原稿圧着板開閉装置を備えた事務機器の一例を示す。本発明に係る原稿圧着板開閉装置Ａは、事務機器１の装置本体２に対して原稿圧着板３を開閉可能に連結するものであって、通常一対設けられるが、以下の説明ではその一方のみについて説明する。
【００３０】
図面によれば、図４に示したように、その一部のみを図面に記載した事務機器１の一例としての複写機の装置本体２の後部上端には、取付孔２ａが上下方向に設けられており、この取付孔２ａに実施例１の原稿圧着板開閉装置Ａの取付部材４の取付脚部４ａが挿脱自在に挿入固定されている。この取付部材４は、例えばＰＯＭ等の合成樹脂の成型品であり、取付脚部４ａの上部にはカム部４ｂが一体に設けられている。そして、この取付部材４の後部側には、原稿圧着板の全開成状態において後述する支持部材５の後部と当接する当接部が設けられていない。
【００３１】
この取付部材４は、実施例の合成樹脂の成型品以外に、金属プレート、例えばステンレス板をプレス加工して作ることができる。或いは、取付脚部を例えばステンレス鋼の金属製の丸棒とし、カム部を取り付けるベース部分をプレス加工品で作り、金属製の取付脚部をベースへかしめなどの手段で取り付けることも考えられる。取付部材をすべてプレス加工品とした場合には、カム部は合成樹脂の成型品として取付部材の上部に設けたベース部へ取り付けられることが好ましい。
【００３２】
支持部材５も図示したものは例えばＰＯＭのような合成樹脂の成型品であり、外観上角筒状を呈したスプリング収容部５ａより後方へ延設した両連結板５ｂ、５ｂを、ヒンジピン６を介して取付部材４のカム部４ｂに回動可能に連結してある。スプリング収容部５ａの内部には、カム部４ｂに接してカムスライダー７がスライド可能に収装されており、このカムスライダー７を一方向へスライド付勢させるために、スプリング収容部５ａの閉塞部５ｃの内側とカムスライダー７との間に当該スプリング収容部５ａに収容させつつ例えば圧縮コイルスプリングから成る弾性手段８が弾設されている。尚、閉塞部５ｃに設けられた小孔５ｆは空気抜きである。尚、指示記号５ｈはスプリング収容部５ａの底板である。
【００３３】
支持部材５の両連結板５ｂ、５ｂの上部側は例えば上板で覆われることなくスプリング収容部５ａの上板５ｄを構成する部分は削除され、原稿圧着板３の全開成時に支持部材の後部側が取付部材４の後部側に当接する当接部は設けられていない。
【００３４】
即ち、取付部材４と支持部材５の各後部側には、原稿圧着板３の開成時に支持部材５の後部側が当接する当接部が削除されている。さらに、スプリング収容部５ａを構成する両側板５ｇ、５ｇからは外方向へ原稿圧着板３を取り付ける取付板５ｅ、５ｅが設けられている。
【００３５】
そして、カム部４ｂに設けたガイド溝４ｃには、支持部材５の両連結板５ｂ，５ｂに取り付けたガイドピン９が貫通することにより係合させられている。
【００３６】
以下に本発明の実施例１に係る原稿圧着板開閉装置Ａの作用効果について説明する。
【００３７】
支持部材５の取付板５ｅ、５ｅに原稿圧着板３の後部を取り付け、取付部材４の取付脚部４ａを事務機器１の装置本体２に設けた取付孔２ａへ挿入させ、図４に示したように、原稿圧着板３を閉じた状態にあっては、原稿圧着板３がその重量によりヒンジピン６の回りに創出させる回転トルクより、弾性手段８の弾力により、カムスライダー７とカム部４ｂによって同じくヒンジピン６の回りに創出させる回転トルクの方が優っているので、原稿圧着板３は閉成状態を保っており、原稿載置台を構成するコンタクトガラス２ｂ上に載置した原稿（図示せず）は、コンタクトガラス２ｂ上に圧着されることになる。この閉成状態の時には、ガイドピン６はガイド溝４ｃの始端部ａの位置にある。
【００３８】
原稿圧着板３を開く際には、当該原稿圧着板３の手前側を手で上押しすると、最初は原稿圧着板３の重量を感じるが、すぐに弾性手段８の弾力が優り始め、原稿圧着板３の操作者は当該原稿圧着板３の本来の重量を感じることなく開くことができ、略３０度から６０度の間においては、原稿圧着板３がヒンジピン６の回りに創出させる回転トルクと原稿圧着板開閉装置Ａのヒンジトルクが均衡することから、原稿圧着板３は自然落下することなく開成状態を保つので、両手が自由となって原稿をコンタクトガラス上への載置し、取り外すことが支障なくできることになる。実施例においては、とくに図８に示したように、原稿圧着板３は装置本体２に対して略９０度の開成角度のやや手前で、ガイドピン６がガイド溝の終端部ｂに達し、この位置で係止されることから、それ以上開かれることはない。また、この全開成状態において、同じく図８に示したように、取付部材の後部側と支持部材の後部側には、特許文献１と２に示したような互いに当接する当接部が設けられていないことから、取付部材の上部を手で持っても挟んでしまう虞がないものである。
【００３９】
原稿が本のような厚物原稿１０の場合には、原稿圧着板３を開いてこの厚物原稿１０をコンタクトガラス２ｂ上に載置させ、原稿圧着板３を閉じると、当該原稿圧着板３の後端部側が厚物原稿１０の後端部に当たるので、さらに原稿圧着板３を下押しすると、梃子の原理によって取付脚部４ａが取付孔２ａから上方へ抜け出てくることから、図９に示したように、厚物原稿１０の上部を原稿圧着板３で水平に覆い、外光がコンタクトガラスを介して装置本体２内部へ侵入し、鮮明な複写を妨げることを可及的に防止することができるものである。
【００４０】
複写時や事務機器１の組み立て時、或は装置本体２の保守点検時において、原稿圧着板３を装置本体２へ組み付けたり、装置本体２に対して脱着する場合などの際には、操作者や作業者は原稿圧着板開閉装置Ａの取付部材４と支持部材５の連結部分を持ってこの作業を行うことが多いが、この際には原稿圧着板３は最大角度開いた状態にあって、上述したようにグラグラと安定しない状態となることから、よく作業者や操作者が指を挟みやすいが、本願発明に係る原稿圧着板開閉装置Ａは、取付部材４や支持部材５の後部側に当接部を設けていないことから、取付部材４の上部を手で持って原稿圧着板３の装置本体２に対する着脱操作を行っても、操作者や作業者が指を挟むおそれがないものである。
【実施例２】
【００４１】
図１２は本発明に係る原稿圧着板開閉装置の他の実施例を示す。図面によれば、この実施例２に係る原稿圧着板開閉装置Ｂは、頭部１１ａ、１１ａ付きのガイドピン１１、１１が、支持部材１２のスプリング収容部１２ａより後部側へ延設させた両連結板１２ｂ、１２ｂへ一対取り付けられ、それぞれ取付部材１３の取付脚部１３ａの上部に一体に設けたカム部１３ｂに設けたガイド溝１３ｃへ嵌入され、係合させられている。他の構成は実施例１のものと同じである。この実施例２においては、ガイドピン１１、１１は、例えばＥリング１４、１４をよって、支持部材１２の両連結板１２ｂ、１２ｂへ取り付けられているが、かしめによって支持部材１２の両連結板１２ｂ、１２ｂへ取り付けてもよい。このように実施しても本発明の目的は達成できる。
【実施例３】
【００４２】
図１３は本発明に係る原稿圧着板開閉装置のさらに他の実施例を示す。図面によれば、この実施例３に係る原稿圧着板開閉装置Ｃは、取付部材２０の取付脚部２０ａの上部に一体に設けたカム部２０ｂに設けるガイド溝２０ｃ、２０ｃは、カム部２０ｂを貫通していず、支持部材２１のスプリング収容部２１ａより延設させた両連結板２１ｂ、２１ｂのそれぞれより設けたガイドピン２２、２２が、各ガイド溝２０ｃ、２０ｃへ嵌入され係合している。このように実施しても本発明の目的は達成できる。この実施例３においては、ガイドピン２２、２２には雄ネジ２２ａ、２２ａが切られており、支持部材２１の両連結板２１ｂ、２１ｂに設けた雌ネジ孔２１ｃ、２１ｃへネジ着されている。他の構成は実施例１のものと同じである。このように実施しても本発明の目的は達成できる。
【実施例４】
【００４３】
図１４と図１５は本発明に係る原稿圧着板開閉装置のさらに他の実施例を示す。図面によれば、この実施例４に係る原稿圧着板開閉装置Ｄは、ガイド溝２５ｃ、２５ｄが、取付部材２５の取付脚部２５ａの上部に一体に設けたカム部２５ｂに一対設けられており、この各ガイド溝２５ｃ、２５ｄに、支持部材２６のスプリング収容部２６ａから延設させた両連結板２６ｂ、２６ｂに取り付けられた一対のガイドピン２７、２８が嵌入され係合している。尚、指示記号２９のものはヒンジピンである。他の構成は実施例１と同じである。このように実施しても本発明の目的は達成できる。
【実施例５】
【００４４】
図１６と図１７は本発明に係る原稿圧着板開閉装置の他の実施例を示す。図面によれば、この実施例５に係る原稿圧着板開閉装置Ｅは、ガイド溝３０ｃ、３０ｃが支持部材３０のスプリング収容部３０ａから延設させた両連結板３０ｂ、３０ｂ（一方のみ表示）の側に設けられ、ガイドピン３１が取付部材３２の取付脚部３２ａの上部に一体に設けられたカム部３２ｂの側に設けられている。尚、指示記号３３のものはヒンジピンである。他の構成は実施例１のものと同じである。このように実施しても本発明の目的は達成できる。
【実施例６】
【００４５】
図１８から図１９はさらに本発明に係る原稿圧着板開閉装置の他の実施例を示す。図面によれば、この実施例６係る原稿圧着板開閉装置Ｆは、実施例１に係るカムスライダーと弾性手段が、取付部材３５の取付脚部３５ａの方に設けられ、支持部材３６の側に取付部３６ａより一体に設けたところのカムスライダーに圧接するカム部３６ｂが設けられている。
【００４６】
即ち、取付脚部３５ａは、スプリング収容部３５ｃを設けた筒状のものであり、このスプリング収容部３５ｃの中にカムスライダー３７と、このカムスライダー３７を上方へスライド付勢させる弾性手段を構成する圧縮コイルスプリング３８が収装されている。取付脚部３５ａは、事務機器４２の装置本体４３に設けた取付孔４３ａに挿脱自在に取り付けられている。尚、支持記号４３ｂはコンタクトガラスである。支持部材３６には原稿圧着板３９を取り付ける取付部３６ａとこの取付部３６ａに設けたカム部３６ｂが設けられ、カム部３６ｂの部分が取付脚部３５ａの上部に設けた一対の両連結板３５ｂ、３５ｂ（一方のみ表示）の間へヒンジピン４０によって回動可能に連結されている。
【００４７】
ガイドピン４１は好ましくは取付部材３５の両連結板３５ｂ、３５ｂ（一方のみ表示）に取り付けられ、支持部材３６のカム部３６ｂに設けたガイド溝３６ｃに嵌入されている。尚、このガイドピン４１をカム部３６ｂの方に設け、ガイド溝３６ｃを取付部材３５の両連結板３５ｂ、３５ｂの方へ設けてもよいこと、或はガイドピン４１を両連結板３５ｂ、３５ｂの側からそれぞれ突設するように構成してもよいことは、実施例１のものと同じである。
【００４８】
また、この実施例６のものも、取付部材３５の後部側には支持部材３６の回動時に当該支持部材３６と当接する当接部は設けられていず、支持部材３６の後部側にも取付部材３５と当接する当接部は設けられていない。即ち、取付部材３５と支持部材３６の各後部側には、原稿圧着板３９の開成時に支持部材３６の後部側が当接する当接部が削除されている。
【００４９】
したがって、支持部材３６の回動範囲、即ち、原稿圧着板３９の最大開成角度を決めるものは、図１９に示したように、ガイドピン４１とガイド溝３６ｃとの係合である。本発明の目的は、このように実施しても達成できる。
【００５０】
尚、図示とその説明は省略するが、この実施例６に係る原稿圧着板開閉装置Ｆにあっても、実施例２から実施例５に係る変形実施例を適用することができる。
【００５１】
さらに、以上の各実施例において、カム部或は両連結板に設けるガイド溝は、何れもヒンジピンより前側に設けられているが、これをヒンジピンより後側、或はその他のヒンジピンを中心とする外側に設けることは任意である。
【００５２】
また、以上いずれの実施例においても、取付部材や支持部材の具体的形状については、各実施例のものに限定されない。それは本発明の目的と作用効果を逸脱しない限り、さまざまな実施形態のものが考えられる。
【産業上の利用可能性】
【００５３】
本発明は以上のように構成したので、手を挟むことのない安全は原稿圧着板開閉装置として、複写機、複合機（複写機にファクシミリやプリンター機能を搭載させたもの）、印刷機、ファクシミリ、スキャナー等の原稿圧着板を有する事務機器の原稿圧着板開閉装置として好適に用いられるものである。
【符号の説明】
【００５４】
Ａ、Ｂ、Ｃ、Ｄ、Ｅ、Ｆ  原稿圧着板開閉装置
１  事務機器（複写機）
２  装置本体
２ａ  取付孔
３、３９  原稿圧着板
４、１３、２０、２５、３２、３５  取付部材
４ａ、１３ａ、２０ａ、２５ａ、３２ａ、３５ａ  取付脚部
４ｂ、１３ｂ、２０ｂ、２５ｂ、３２ｂ、３６ｂ  カム部
４ｃ、１３ｃ、２０ｃ、２５ｃ、２５ｄ、３０ｃ、３６ｃ  ガイド溝
５、１２、２１、２６、３０、３６  支持部材
５ａ、１２ａ、２１ａ、２６ａ、３０ａ、３５ｃ  スプリング収容部
５ｂ、１２ｂ、２１ｂ、２６ｂ、３０ｂ、３５ｂ  連結板
６、２９、３３、４０  ヒンジピン
７、３７  カムスライダー
８  弾性手段
９、１１、２２、２７、２８、３１、４１  ガイドピン
３８  圧縮コイルスプリング
【図１】
2014152904.tif 000003
【図２】
2014152904.tif 000004
【図３】
2014152904.tif 000005
【図４】
2014152904.tif 000006
【図５】
2014152904.tif 000007
【図６】
2014152904.tif 000008
【図７】
2014152904.tif 000009
【図８】
2014152904.tif 000010
【図９】
2014152904.tif 000011
【図１０】
2014152904.tif 000012
【図１１】
2014152904.tif 000013
【図１２】
2014152904.tif 000014
【図１３】
2014152904.tif 000015
【図１４】
2014152904.tif 000016
【図１５】
2014152904.tif 000017
【図１６】
2014152904.tif 000018
【図１７】
2014152904.tif 000019
【図１８】
2014152904.tif 000020
【図１９】
2014152904.tif 000021